(57)【要約】【課題】端末装置による周辺の基地局装置の測定結果を取得できる確率を向上させる基地局装置を提供する。【解決手段】無線通信が可能な範囲内に在圏している端末装置と無線を介して接続し、通信を行う通信部と、前記端末装置に対して、前記端末装置が接続可能な基地局装置を探索し、前記探索により取得した基地局情報を送信するよう要求する探索要求処理を行う処理部を有し、前記処理部は、前記端末装置の稼働状態の変化を示す稼働情報を取得し、前記取得した稼働情報から前記端末装置が前記基地局情報の探索を行うことが可能な第１の状態であると判定したとき、前記探索要求処理を行う。【選択図】図８
2017060024.tif 000002
【特許請求の範囲】
【請求項１】
無線通信が可能な範囲内に在圏している端末装置と無線を介して接続し、通信を行う通信部と、
前記端末装置に対して、前記端末装置が接続可能な基地局装置を探索し、前記探索により取得した基地局情報を送信するよう要求する探索要求処理を行う処理部を有し、
前記処理部は、前記端末装置の稼働状態の変化を示す稼働情報を取得し、前記取得した稼働情報から前記端末装置が前記基地局情報の探索を行うことが可能な第１の状態であると判定したとき、前記探索要求処理を行う
基地局装置。
【請求項２】
前記第１の状態は、前記端末装置の通信速度が基準値以下の第２の状態を含む
請求項１記載の基地局装置。
【請求項３】
前記第２の状態は、前記端末装置が前記基地局装置と接続を確立してから、前記基準値を超える通信速度で通信を開始するまでの通信準備期間を含む
請求項２記載の基地局装置。
【請求項４】
前記通信準備期間は、前記端末装置と前記基地局装置との接続が確立したことを示すメッセージを前記端末装置から受信した後、又は前記端末装置に送信した後の期間を含む
請求項３記載の基地局装置。
【請求項５】
前記第２の状態は、前記端末装置が前記基準値を超える通信速度での通信を終了してから、前記基地局装置と確立している接続を切断するまでの切断待機期間を含む
請求項２記載の基地局装置。
【請求項６】
前記切断待機期間は、前記端末装置の通信速度が前記基準値以下になってから第１時間を経過した後の期間を含む
請求項５記載の基地局装置。
【請求項７】
前記第２の状態は、前記端末装置の通信速度が前記基準値以下になるように制限されている通信制限期間を含む
請求項２記載の基地局装置。
【請求項８】
前記通信制限期間は、前記処理部が前記端末装置の通信速度が前記基準値以下になるように制限し、前記制限に応じて前記端末装置の通信速度が前記基準値以下になった後の期間を含む
請求項７記載の基地局装置。
【請求項９】
前記端末装置が前記基地局装置と接続を確立してから、前記基準値を超える通信速度で通信を開始するまでの通信準備期間、及び前記端末装置が前記基準値を超える通信速度での通信を終了してから、前記基地局装置と確立している接続を切断するまでの切断待機期間が、第２時間の間発生しない場合、前記処理部は、前記端末装置の通信速度が前記基準値以下のなるよう制限し、前記制限に応じて前記端末装置を第２の状態にする
請求項２記載の基地局装置。
【請求項１０】
さらに、前記第１の状態であることを判定することなく定期的に前記探索要求を送信する定期取得処理を行う定期取得部を有し、
前記処理部は、前記定期取得処理で送信する前記探索要求に対して前記探索結果を受信できない場合、前記稼働情報を取得し、前記取得した稼働情報から前記第１の状態であると判定したとき、前記探索要求処理を行う
請求項１記載の基地局装置。
【発明の詳細な説明】
【技術分野】
【０００１】
本発明は、基地局装置に関する。
【背景技術】
【０００２】
通信システムに関する技術としてＨｅｔＮｅｔ（Heterogeneous Network）が注目されている。ＨｅｔＮｅｔとは、例えば、端末装置が無線を介して接続し、通信を行うことが可能な範囲（以下、サービスエリアと呼ぶ）の異なる複数の基地局装置を、階層的に構成したネットワークである。
【０００３】
ＨｅｔＮｅｔでは、サービスエリアの広い基地局装置のサービスエリア内に、サービスエリアの狭い基地局装置が複数存在する。サービスエリアの狭い基地局装置は、電波の出力が弱いため、周囲の建物や天候の影響を受けやすい。そのため、同じ場所であっても、電波が届いたり届かなかったりする場合がある。また、サービスエリアの狭い基地局装置は、少ない基地局数で効率的に無線通信を行うために、例えば、イベント会場や駅などのトラヒックが多い場所に設置されることがある。そのため、サービスエリアの狭い基地局装置は、一時的に設置されたり、トラヒックの低い時間帯では電源を落として機能を停止したりする場合がある。
【０００４】
このように、ＨｅｔＮｅｔにおいては、同じ場所であっても通信可能な基地局装置は随時変化するため、端末装置がハンドオーバで移動する基地局装置の選択が困難な場合がある。
【０００５】
そこで、ＬＴＥ（Long Term Evolution）通信においては、ＨｅｔＮｅｔにおけるハンドオーバの性能改善のため、ＡＮＲ（Automatic Neighbor Relation）機能が導入されている。ＡＮＲ機能とは、端末装置がその周辺の基地局装置を測定した結果に基づき、基地局装置が現在隣接している他の基地局装置を隣接基地局情報として管理する機能である。基地局装置は、この隣接基地局情報に基づいてハンドオーバの移動先を選択することで、ハンドオーバの成功率が上昇する。
【０００６】
ＡＮＲ機能に関する技術としては、以下の特許文献１〜４に記載されている。
【先行技術文献】
【特許文献】
【０００７】
【特許文献１】特表２００２−５２４９２１
【特許文献２】特開２０１０−５０９６９
【特許文献３】特表２０１２−５３３９３９
【特許文献４】特表２０１４−５２２２０３
【発明の概要】
【発明が解決しようとする課題】
【０００８】
しかし、端末装置の状態によっては、周辺の基地局装置の測定ができないことがある。また、端末装置の状態によっては、基地局装置から周辺の基地局装置の測定をする要求する要求メッセージを受信できないことがある。このような場合、基地局装置は、端末装置から周辺の基地局装置を測定した結果を取得することができず、隣接基地局情報を最新の状態に更新することができない。
【０００９】
また、基地局装置は、周辺の基地局装置を測定した結果を取得できなかった場合、例えば、取得できるまで要求メッセージを繰り返し送信する。この場合、周辺の基地局装置を測定した結果を取得できるまで、複数回の要求メッセージを送信することとなり、無駄な通信が発生する。
【００１０】
そこで、一開示は、端末装置による周辺の基地局装置の測定結果を取得できる確率を向上させる基地局装置を提供することにある。
【課題を解決するための手段】
【００１１】
無線通信が可能な範囲内に在圏している端末装置と無線を介して接続し、通信を行う通信部と、前記端末装置に対して、前記端末装置が接続可能な基地局装置を探索し、前記探索により取得した基地局情報を送信するよう要求する探索要求処理を行う処理部を有し、前記処理部は、前記端末装置の稼働状態の変化を示す稼働情報を取得し、前記取得した稼働情報から前記端末装置が前記基地局情報の探索を行うことが可能な第１の状態であると判定したとき、前記探索要求処理を行う。
【発明の効果】
【００１２】
一開示は、端末装置による周辺の基地局装置の測定結果を取得できる確率を向上させる基地局装置を提供する。
【図面の簡単な説明】
【００１３】
【図１】図１は、通信システムの構成例を示す図である。
【図２】図２は、定期取得方法により基地局情報を取得するシーケンスの例を示す図である。
【図３】図３は、定期取得方法における基地局情報の取得に失敗するシーケンスの例を示す図である。
【図４】図４は、基地局装置の構成例を示す図である。
【図５】図５は、基地局情報テーブルの例を示す図である。
【図６】図６は、端末装置の構成例を示す図である。
【図７】図７は、基地局制御装置の構成例を示す図である。
【図８】図８は、基地局情報更新処理のシーケンスの例を示す図である。
【図９】図９は、時間経過における端末装置の通信速度の変位の例を示す図である。
【図１０】図１０は、基地局装置が基地局情報を更新する処理のフローチャートである。
【図１１】図１１は、基地局装置が、通信準備状態を検出するシーケンスの例を示す図である。
【図１２】図１２は、基地局装置が、切断待機状態を検出するシーケンスの例を示す図である。
【図１３】図１３は、時間経過における端末装置の通信速度の変位の例を示す図である。
【図１４】図１４は、基地局装置の構成例を示す図である。
【図１５】図１５は、通信速度制限処理を含む基地局装置のフローチャートの例を示す図である。
【図１６】図１６は、通信速度制限処理のシーケンスの例を示す図である。
【図１７】図１７は、基地局装置が基地局情報取得処理のフローチャートの例を示す図である。
【図１８】図１８は、基地局装置の構成例を示す図である。
【図１９】図１９は、基地局情報取得処理のフローチャートの例を示す図である。
【発明を実施するための形態】
【００１４】
以下、本発明を実施するための形態について説明する。
【００１５】
＜通信システムの構成例＞
図１は第１の実施の形態における通信システム１０の構成例を表す図である。通信システム１０は、端末装置１００、基地局装置２００−１〜３、基地局制御装置３００、及びネットワーク４００を有する。
【００１６】
通信システム１０は、端末装置１００が、ネットワーク４００や他の端末装置と通信を行うシステムである。端末装置１００がネットワーク４００と通信を行う場合、基地局装置２００がネットワーク４００と端末装置１００の間で送受信するパケットを中継する。端末装置１００は、接続した基地局装置２００を介して、ネットワーク４００とパケットの送受信を行うことで通信を実現する。
【００１７】
また、端末装置１００は、例えば、移動による電波の劣化や、通信中の基地局装置のトラヒック上昇による通信速度の低下などが発生すると、通信する基地局装置を移動するハンドオーバを行う。このとき、基地局制御装置３００は、ハンドオーバ先の基地局装置のリソースなどの情報から、端末装置１００のハンドオーバによる移動を許可するかどうかを判定する。また、基地局制御装置３００は、配下の基地局装置２００−１〜３以外の基地局装置からハンドオーバで移動してきた端末装置の認証を行う。
【００１８】
また、通信システム１０は、ＨｅｔＮｅｔである。基地局装置２００−１〜３は、それぞれサービスエリア２０１−１〜３を形成する。サービスエリアとは、端末装置１００が基地局装置２００と、無線を介して接続し、通信が可能である範囲である。図１の例では、サービスエリア２０１−１，２は、サービスエリア２０１−３と比べて狭い範囲のサービスエリアとなっている。図１の通信システム１０は、狭い範囲のサービスエリア２０１−１，２が、広い範囲のサービスエリア２０１−３に含まれており、サービスエリアの異なる基地局装置２００−１〜３が階層的に配置されている。
【００１９】
ＨｅｔＮｅｔの通信システム１０に設置される基地局装置２００は、ＡＮＲ機能を有する。ＡＮＲ機能とは、例えば、基地局装置２００の周辺にどのような他の基地局装置が存在するかという基地局情報を管理し、基地局情報に基づいて端末装置のハンドオーバ先を選択する機能である。例えば、図１における基地局装置２００−１は、周辺に基地局装置２００−２及び３が存在するという基地局情報を管理する。基地局装置２００は、在圏している端末装置１００から基地局情報の探索結果を受信し、受信した探索結果を基地局情報として内部メモリに記憶する。端末装置１００が基地局情報を探索することで、実際に端末装置が通信することができる基地局装置の情報を取得することができる。基地局装置２００は、例えば、定期的に基地局情報を更新する。
【００２０】
＜基地局情報の定期取得＞
基地局情報の取得方法として、基地局情報を定期的に取得する定期取得方法がある。定期取得方法においては、基地局装置がインターバルタイマを発行し、インターバルタイマが満了したときに、探索要求を端末装置に送信する方式である。
【００２１】
図２は、定期取得方法により基地局情報を取得するシーケンスの例を示す図である。以下、図２を用いて、定期取得方法について説明する。
【００２２】
端末装置１００と基地局装置２００の接続が確立している接続確立状態において、基地局装置２００の発行している定期取得タイマが満了する（Ｓ１１）。接続確立状態とは、端末装置１００と基地局装置２００が通信を行うためのネゴシエーションが完了しており、通信を行うことが可能な状態である。また、定期取得タイマは、上述したインターバルタイマであり、例えば、１時間のタイマである。
【００２３】
基地局装置２００は、定期取得タイマが満了すると、端末装置１００に基地局情報を探索するよう要求する探索要求を送信する（Ｓ１２）。なお、端末装置１００と基地局装置２００の接続が確立していない場合、端末装置１００と通信を行えない状態であるため、探索要求を送信できない。従って、基地局装置２００は探索結果を受信できず、基地局情報の更新に失敗する。
【００２４】
端末装置１００は、探索要求を受信すると、探索要求受付を基地局装置２００に送信する（Ｓ１３）。端末装置１００は、探索要求受付を送信すると、基地局情報の探索を行う（Ｓ１４）。基地局情報の探索は、例えば、基地局装置が特定の周波数で報知している情報を、端末装置１００が取得する。端末装置１００は、基地局情報の探索を終了すると、探索結果を基地局装置２００に送信する（Ｓ１５）。基地局装置２００は、探索結果を受信すると、内部メモリに記憶している基地局情報を更新する（Ｓ１６）。このように、定期取得方法では、定期取得タイマに従い探索要求を送信している。
【００２５】
一方、図３は、定期取得方法における基地局情報の取得に失敗するシーケンスの例を示す図である。図３を用いて、定期取得方法における基地局情報の取得に失敗する場合について説明する。
【００２６】
基地局装置２００の定期取得タイマが満了してから、端末装置１００が基地局装置２００に探索要求受付を送信するまでの処理（Ｓ１１〜Ｓ１３）は図２と同様である。しかし、図２のシーケンスでは、端末装置１００は、探索要求を受信しても基地局情報の探索を行うことができない。端末装置１００は、例えば、基地局情報の探索を行うことができないほど端末装置１００に負荷がかかっている状態では、基地局情報の探索を行うことができないことがある。図２は、端末装置１００が探索要求を受信したとき、何らかの理由で端末装置１００が基地局情報の探索を行うことができない状態である場合のシーケンスである。この場合、端末装置１００は基地局情報の探索ができないため、探索結果を基地局装置２００に送信することができない。すると、基地局装置２００は、探索結果の受信を待つために発行した探索結果受信待ちタイマが満了し、処理を終了する。
【００２７】
このように、基地局装置２００の定期取得タイマ満了し、端末装置１００に探索要求を送信したタイミングが、端末装置１００が基地局情報の探索が行えない状態であるとき、基地局装置は探索結果を受信できず、基地局情報を更新に失敗する。
【００２８】
また、基地局装置２００は探索結果の受信に成功するまで、端末装置１００に探索要求を再送する場合がある。しかしこの方法では、偶然に端末装置１００が基地局情報の探索が可能な状態になるまで探索要求の再送を繰り返すこととなり、無駄な通信が発生する。
【００２９】
［第１の実施の形態］
最初に第１の実施の形態について説明する。
【００３０】
第１の実施の形態では、まず端末装置１００の稼働状態の変化を示す稼働情報を取得し、取得した稼働情報から端末装置１００が基地局情報の探索を行うことが可能な状態（以下、探索可能状態と呼ぶ）かどうかを判定する。基地局装置２００は、端末装置１００が基地局情報の探索を行うことが可能であると判定したとき、端末装置１００に探索要求を送信する。第１の実施の形態における、通信システム１０の各装置のハードウェア構成について、以下に説明する。
【００３１】
＜各装置の構成例＞
以下に、各装置の構成例について説明する。
【００３２】
＜１．基地局装置の構成例＞
図４は、基地局装置２００の構成例を示す図である。
【００３３】
基地局装置２００は、ＣＰＵ（Central Processing Unit）２１０、ストレージ２２０、メモリ２３０、ＲＦ回路２４０、及びＮＩＣ（Network Interface Card）２５０を有する。基地局装置２００は、例えば、ＬＴＥ通信におけるｅＮＢ（evolved Node B）やＨｅＮＢ（Home evolved Node B）である。
【００３４】
ストレージ２２０は、プログラムやデータを記憶する補助記憶装置である。ストレージ２２０は、通信制御プログラム２２１、及び稼働状態監視プログラム２２３を記憶する。
【００３５】
メモリ２３０は、ストレージ２２０に記憶されているプログラムをロードする領域である。また、メモリ２３０、プログラムがデータを記憶する領域としても使用され、基地局情報テーブル２３１を記憶する。基地局情報テーブル２３１は、基地局情報を記憶するテーブルであり、端末装置１００から探索結果を受信したときに更新する。
【００３６】
図５は、基地局情報テーブル２３１の例を示す図である。基地局情報テーブル２３１は基地局情報を記憶しており、基地局情報とは、周辺の基地局装置の識別子である。基地局装置の識別子は、例えば、Ｃｅｌｌ−ＩＤであり、４ｂｙｔｅの数値で表現される。図５は、基地局装置２００−１の基地局情報テーブル２３１の例である。基地局装置２００−１は、基地局情報として、基地局装置２００−２の識別子（ＩＤ１）及び基地局装置２００−３の識別子（ＩＤ２）を記憶する。
【００３７】
ＲＦ回路２４０は、端末装置１００と無線を介して通信を行う回路である。ＲＦ回路２４０は、通信部の処理を実現する。ＲＦ回路２４０は、アンテナ２４１を有し、アンテナ２４１を介して無線信号を送受信する。
【００３８】
ＮＩＣ２５０は、基地局制御装置３００と通信を行う装置である。ＮＩＣ２５０と基地局制御装置は、例えば、ネットワークケーブルなどの有線で接続する。
【００３９】
ＣＰＵ２１０は、ストレージ２２０に記憶されているプログラムを、メモリ２３０にロードし、ロードしたプログラムを実行し、処理部の機能を実現するプロセッサである。
【００４０】
ＣＰＵ２１０は、通信制御プログラム２２１を実行することで通信制御処理を実現する。
【００４１】
通信制御処理は、端末装置１００が行っている従来の無線通信を制御する処理である。通信制御処理では、端末装置１００から送信される接続要求を受信すると、端末装置１００に接続応答を送信し、端末装置１００との接続処理を行う。接続処理は、端末装置１００と基地局装置２００の間で、以降の通信で使用する周波数帯域などの情報を交換する処理である。また、通信制御処理では、端末装置１００が送受信するパケットを中継する。
【００４２】
さらに、ＣＰＵ２１０は、稼働状態監視プログラム２２３を実行することで稼働状態監視処理を実現する。第１の実施の形態における基地局装置２００は、従来の処理に加え、稼働状態監視処理を行う。
【００４３】
稼働状態監視処理は、端末装置１００の稼働状態を監視し、端末装置１００が探索可能状態になったことを検出し、探索要求を送信する処理である。稼働状態監視処理では、基地局装置２００は、端末装置１００の稼働状態の変化を示す稼働情報を取得し、取得した稼働情報から端末装置１００が探索可能状態であるかどうかを判定する。基地局装置２００は、端末装置１００が探索可能状態であると判定すると、端末装置１００に探索要求を送信する。また、基地局装置２００は、端末装置１００が探索可能状態でないと判定すると、端末装置１００が探索可能状態であると判定するまで稼働情報の取得を繰り返す。端末装置１００の稼働状態とは、例えば、端末装置１００の単位時間あたりの通信量（以下、通信速度と呼ぶ）である。基地局装置２００は、例えば、端末装置１００の通信速度が基準値より小さくなった場合、端末装置１００が探索可能状態であると判定する。基準値は、例えば、端末装置１００が探索可能状態を維持できる程度にＣＰＵ１１０の負荷が軽い通信速度である。
【００４４】
このように、稼働状態監視処理を行うことで、端末装置１００が探索可能状態のときに探索要求を送信することができ、探索結果を受信できる確率、すなわち基地局情報を更新できる確率が向上する。
【００４５】
＜端末装置の構成例＞
図６は、端末装置１００の構成例を示す図である。
【００４６】
端末装置１００は、ＣＰＵ１１０、ストレージ１２０、メモリ１３０、及びＲＦ回路１４０を有する。端末装置１００は、例えば、スマートフォンやタブレット端末などの通信機器である。
【００４７】
ストレージ１２０は、プログラムやデータを記憶する補助記憶装置である。ストレージ１２０は、通信制御プログラム１２１及び基地局探索プログラム１２２を記憶する。
【００４８】
メモリ１３０は、ストレージ１２０に記憶されているプログラムをロードする領域である。また、メモリ１３０、プログラムがデータを記憶する領域としても使用される。
【００４９】
ＲＦ回路１４０は、基地局装置２００と無線を介して通信を行う回路である。ＲＦ回路１４０は、アンテナ１４１を有し、アンテナ１４１を介して無線信号を送受信する。
【００５０】
ＣＰＵ１１０は、ストレージ１２０に記憶されているプログラムを、メモリ１３０にロードし、ロードしたプログラムを実行するプロセッサである。
【００５１】
ＣＰＵ１１０は、通信制御プログラム１２１を実行することで通信制御処理を実現し、基地局探索プログラム１２２を実行することで基地局探索処理を実現する。
【００５２】
通信制御処理は、端末装置１００が行う従来の無線通信を制御する処理である。通信制御処理では、端末装置１００は、例えば、アプリケーションからの要求やユーザの操作によって、通信を開始する。端末装置１００は、通信を開始するとき、通信可能な基地局装置２００に対して接続要求を送信する。端末装置１００は、接続要求に対する接続応答を受信し、接続処理が完了すると、パケットの送受信を開始する。
【００５３】
基地局探索処理は、端末装置１００が基地局情報の探索を行い、探索結果を基地局装置２００に送信する処理である。端末装置１００は、基地局装置２００から探索要求を受信したときに、探索可能状態であれば基地局探索処理を行う。端末装置１００は、例えば、基地局装置が所定の周波数で報知している報知情報を取得することで基地局情報を探索する。
【００５４】
基地局装置の報知情報には、基地局装置を一意に示す基地局装置の識別子が含まれる。また、端末装置１００がある基地局装置の報知情報を取得できるということは、報知情報を送信した基地局装置のサービスエリアに端末装置１００が在圏しているということである。すなわち、端末装置１００が探索している基地局情報は、例えば、端末装置１００が接続可能な基地局装置の識別子を含む情報である。
【００５５】
＜基地局制御装置の構成例＞
図７は、基地局制御装置３００の構成例を示す図である。
【００５６】
基地局制御装置３００は、ＣＰＵ３１０、ストレージ３２０、メモリ３３０、及びＮＩＣ３５０−１〜ｎを有する。基地局制御装置３００は、例えば、ＭＭＥ（Mobility Management Entity）である。
【００５７】
ストレージ３２０は、プログラムやデータを記憶する補助記憶装置である。ストレージ３２０は、基地局制御プログラム３２１を記憶する。
【００５８】
メモリ３３０は、ストレージ３２０に記憶されているプログラムをロードする領域である。また、メモリ３３０、プログラムがデータを記憶する領域としても使用される。
【００５９】
ＮＩＣ３５０-１〜ｎは、基地局装置２００及びネットワーク４００と通信を行う装置である。ＮＩＣ３５０と基地局制御装置は、例えば、ネットワークケーブルなど有線で接続する。
【００６０】
ＣＰＵ３１０は、ストレージ３２０に記憶されているプログラムを、メモリ３３０にロードし、ロードしたプログラムを実行するプロセッサである。
【００６１】
ＣＰＵ３１０は、基地局制御プログラム３２１を実行することで基地局制御処理を実現する。
【００６２】
基地局制御処理とは、基地局制御装置３００に接続する基地局装置２００のサービスエリアに在圏する端末装置１００の移動管理や、端末装置１００の認証処理を行う処理である。基地局制御装置３００は、基地局装置２００から端末装置１００が送信したハンドオーバ要求を受信する。基地局制御装置３００は、端末装置１００の送信したハンドオーバ要求に対して、ハンドオーバを認めるかどうかを判定し、ハンドオーバの許可又は不許可を基地局装置２００に送信する。基地局制御装置３００は、ハンドオーバを認めるかどうかを、例えば、移動先の基地局装置のリソースの状態や、ハンドオーバ要求もとの端末装置１００の認証結果により判定する。
【００６３】
＜基地局情報更新処理＞
図８は、第１の実施の形態における基地局情報更新処理のシーケンスの例を示す図である。図８を用いて、基地局情報を更新する処理について説明する。
【００６４】
基地局装置２００は、稼働状態監視処理を行う。基地局装置２００は、稼働状態監視処理において、端末装置１００の稼働情報を取得する（Ｓ３１）。端末装置１００の稼働情報とは、端末装置の稼働状態の変化を示す情報であり、例えば、端末装置の通信速度や、端末装置１００と基地局装置２００の接続状態などが含まれる。基地局装置２００は、取得した稼働情報から、端末装置１００が探索可能状態かどうかを判定する（Ｓ３２）。端末装置１００は、例えば、通信速度が大きいためにＣＰＵ１１０の負荷が高い場合、基地局情報を取得するための探索を行うことができない。そこで、基地局装置２００は、例えば、基地局装置２００の通信速度が基準値以下の場合、端末装置１００のＣＰＵ１１０にかかる負荷が低く、端末装置１００は探索可能状態であると判定する。
【００６５】
基地局装置２００は、端末装置１００が探索可能状態ではないと判定すると（Ｓ３２のＮｏ）、あらたに端末装置の稼働情報を取得し（Ｓ３１）、端末装置１００が探索可能状態かどうかを判定する（Ｓ３２）。このように、基地局装置２００は、端末装置１００が探索可能状態であると判定するまで、端末装置１００の稼働情報の取得、及び端末装置１００が探索可能状態かどうかの判定を繰り返す。
【００６６】
基地局装置２００は、端末装置１００が探索可能状態であると判定すると（Ｓ３２のＹｅｓ）、端末装置１００に探索要求を送信する（Ｓ３３）。探索要求は、例えば、ＬＴＥの通信システムにおいては、ＣＧＩ（Cell Global ID）の探索要求を、ＲＲＣ  Ｃｏｎｎｅｃｔｉｏｎ  Ｒｅｃｏｎｆｉｇｕｒａｔｉｏｎを用いて送信する。
【００６７】
端末装置１００は、探索要求を受信すると、基地局探索処理を行う。端末装置１００は、基地局探索処理において、探索要求受付を基地局装置２００に送信し（Ｓ３４）、基地局情報の探索を行う（Ｓ３５）。探索要求受付は、例えば、ＬＴＥの通信システムにおいては、ＲＲＣ  Ｃｏｎｎｅｃｔｉｏｎ  Ｒｅｃｏｎｆｉｇｕｒａｔｉｏｎ  Ｃｏｍｐｌｅｔｅである。
【００６８】
端末装置１００は、基地局情報の探索に成功すると、基地局装置２００に基地局情報を含む探索結果を送信する（Ｓ３６）。探索結果は、例えば、ＬＴＥの通信システムにおいては、ＣＧＩの情報を含んだ、Ｍｅａｓｕｒｅｍｅｎｔ  Ｒｅｐｏｒｔである。基地局装置２００は、探索結果を受信すると、内部の基地局情報テーブル２３１の基地局情報を更新する（Ｓ１６）。
【００６９】
このように、第１の実施の形態では、端末装置１００が探索可能状態であることを検出し、探索要求を送信する。基地局装置２００は、端末装置１００が探索可能状態であると判定してから探索要求を送信するため、探索要求を受信した端末装置１００は基地局情報の探索が可能な状態である確率が高い。従って、基地局装置２００は端末装置１００から探索結果を受信できる確率が高くなる。すなわち、基地局装置２００は、基地局情報を更新する確実性が向上し、探索結果を繰り返し送信するという無駄な通信を抑制することができる。
【００７０】
［第２の実施の形態］
次に、第２の実施の形態について説明する。
【００７１】
第２の実施の形態では、基地局装置２００の稼働状態監視処理における、端末装置１００が探索可能状態であるかどうかの判定の例を示す。
【００７２】
＜基地局情報の探索が可能な状態＞
図９は、時間経過における端末装置１００の通信速度の変位の例を示す図である。図９を用いて、端末装置１００の探索可能状態について説明する。
【００７３】
図９では、ユーザ操作やアプリケーションからの要求によってユーザデータの送受信を開始するとき、基地局装置２００との接続を確立し、要求されたユーザデータの送受信を行い、ユーザデータの送受信終了後に切断するまでを示している。以下では、図９の各時間において、基地局装置２００が、端末装置１００が探索可能状態であると判断するか否かについて説明する。
【００７４】
時間Ｔ０〜Ｔ１の期間は、端末装置１００は基地局装置２００と接続を確立していない未接続状態であり、通信を行っていない。未接続状態においては、通信速度は０ｂｐｓ（bits per second）である。この期間は、端末装置１００と基地局装置２００は未接続であり、探索要求を送信することができないため、端末装置１００は探索可能状態ではないと判定する。
【００７５】
時間Ｔ１〜Ｔ２の期間は、端末装置１００がユーザデータを送受信する準備のため、基地局装置２００と接続を確立し、ユーザデータの送受信による通信を行う前の通信準備期間である。通信準備期間は、端末装置１００と基地局装置２００の接続は確立しているが、通信速度ＶＬは基準値Ｌ１以下である状態である。基準値Ｌ１は、例えば、基準値Ｌ１以下の通信速度であれば、端末装置１００のＣＰＵ１１０にかかる負荷が小さく、端末装置１００が基地局情報を探索できるであろうと推測した通信速度である。通信準備期間は、端末装置１００と接続が確立しており、端末装置１００の通信速度も基準値以下であるため、端末装置１００は探索可能状態であると判定する。
【００７６】
時間Ｔ２〜Ｔ３の期間は、端末装置１００と基地局装置２００の接続は確立しており、ユーザデータの送受信による通信を行っている期間である。ユーザデータの送受信による通信は通信量が多いため、この期間の端末装置１００の通信速度ＶＨは基準値Ｌ１よりも大きい。この期間は、端末装置１００のＣＰＵ１１０の負荷が大きく、端末装置１００は探索可能状態ではないと判定する。
【００７７】
時間Ｔ３〜Ｔ４の期間は、端末装置１００のユーザデータの送受信による通信が終了してから、切断処理を行うまで待機している切断待機期間である。切断待機期間は、端末装置１００と基地局装置２００との接続は確立しているが、通信速度ＶＬは基準値Ｌ１以下である状態である。切断待機期間は、端末装置１００と接続が確立しており、端末装置１００の通信速度も基準値以下であるため、端末装置１００は探索可能状態であると判定する。
【００７８】
時間Ｔ４以降の期間は、端末装置１００が基地局装置２００を切断した後の期間である。この期間は、端末装置１００と基地局装置２００は未接続であり、探索要求を送信できないため、端末装置１００は探索可能状態ではないと判定する。
【００７９】
以下、基地局装置２００が、端末装置１００が通信準備期間であることを示す状態（以下、通信準備状態と呼ぶ）、及び端末装置１００が切断待機状態であることを示す状態（以下、切断準備状態と呼ぶ）を検出し、基地局情報を更新する処理について説明する。
【００８０】
図１０は、第２の実施の形態における基地局装置２００が基地局情報を更新する処理のフローチャートである。以下においては、図１０のフローチャート及び図１１、図１２のシーケンスを用いて説明する。
【００８１】
＜１．通信準備状態の検出＞
図１１は、基地局装置２００が、通信準備状態を検出するシーケンスの例を示す図である。
【００８２】
基地局装置２００は、端末装置１００と接続が確立しているかどうかを確認する（Ｓ１０３）。端末装置１００と接続が確立している場合の処理（Ｓ１０３のＹｅｓ）については、後述する。
【００８３】
基地局装置２００は、端末装置１００と接続が確立していない場合（Ｓ１０３のＮｏ）、端末装置１００から接続要求を受信したかどうかを確認する（Ｓ１０５）。端末装置１００と接続が確立していないということは、端末装置１００はユーザデータの送受信中ではないということである。よって、次に端末装置１００が探索可能状態に遷移するのは、あらたにユーザデータの送受信を開始するときの通信準備状態である。そこで、基地局装置２００は、端末装置が接続準備状態になるときに受信するメッセージである接続要求を待ち受ける。接続要求は、例えば、ＬＴＥの通信システムにおけるＡｔｔａｃｈ  Ｒｅｑｕｅｓｔである。
【００８４】
基地局装置２００は、接続要求を受信していない場合（Ｓ１０５のＮｏ）、接続要求を受信するまで待ち受ける。基地局装置２００は、接続要求（Ｓ１０６）を受信すると（Ｓ１０５のＹｅｓ）、接続処理を行う（Ｓ１０７）。基地局装置２００は、接続確立状態（ＳＴ３）を検出することで、端末装置１００が通信準備状態になったことを検出する（Ｓ３００）。
【００８５】
接続確立状態（Ｔ３）の検出方法は、端末装置１００と基地局装置２００との接続処理において送受信するメッセージのうち、接続処理が完了したことを示すメッセージを送信または受信することで検出する。接続処理が完了したことを示すメッセージとは、例えば、ＬＴＥの通信システムにおいて端末装置１００が送信するＲＲＣ  Ｃｏｎｎｅｃｔｉｏｎ  Ｒｅｃｏｎｆｉｇｕｒａｔｉｏｎ  Ｃｏｍｐｌｅｔｅである。または、接続処理が完了したことを示すメッセージとは、例えば、ＬＴＥの通信システムにおいて基地局装置２００が送信するＲＲＣ  Ｃｏｎｎｅｃｔｉｏｎ  Ｒｅｃｏｎｆｉｇｕｒａｔｉｏｎである。
【００８６】
基地局装置２００は、接続処理が終了すると、端末装置１００が通信準備状態であるみなし（Ｓ３００）、探索要求を端末装置１００に送信する（Ｓ３３）。
【００８７】
基地局装置２００が探索要求を送信してから、基地局情報を更新するまでの処理は、第１の実施の形態で示した図８のシーケンスのＳ３３、Ｓ３４、及びＳ１４〜Ｓ１６の処理と同様である。
【００８８】
通信準備状態の検出においては、端末装置１００との接続が確立した直後は、端末装置１００がユーザデータの送受信をまだ開始していないとみなし、端末装置１００は探索可能状態であると判定する。こうすることで、端末装置１００がユーザデータの送受信を開始する前のＣＰＵ負荷が小さい状態で、検索要求を送信することができ、基地局情報を更新できる確率が向上する。
【００８９】
＜２．切断待機状態の検出＞
図１２は、基地局装置２００が、切断待機状態を検出するシーケンスの例を示す図である。  基地局装置２００は、端末装置１００と接続が確立している場合（Ｓ１０３のＹｅｓ）、ユーザデータの送受信が終了しているかどうかを確認する（Ｓ１０４）。端末装置１００と接続が確立しているのに基地局情報の更新に失敗しているということは、端末装置１００がユーザデータ送受信中（ＳＴ１）であるから、探索ができなかったと推測できる。そこで、基地局装置２００は、ユーザデータの送受信が終了したこと（ＳＴ２）を検出することで、端末装置１００が切断待機状態になったことを検出することができる（Ｓ２００）。
【００９０】
ユーザデータの送受信が終了したこと（ＳＴ２）の検出方法は、例えば、端末装置１００の通信速度が基準値以下になってから所定の時間が経過したことで検出する。所定の時間の経過を条件としているのは、ユーザデータの送受信中の期間に発生する短期間の通信速度の低下を誤って切断待機状態として検出しないためである。ユーザデータの送受信中の通信速度の低下は、極めて短期間である場合が多く、すぐに高い通信速度に戻ってしまうため、探索要求を受信したタイミングでは端末装置１００は基地局情報の探索をすることができない可能性が高い。
【００９１】
基地局装置２００は、ユーザデータの送受信が終了したことを検出すると（Ｓ１０４のＹｅｓ）、端末装置１００が切断待機状態であるとみなし（Ｓ２００）、探索要求を端末装置１００に送信する（Ｓ３３）。
【００９２】
基地局装置２００が探索要求を送信してから、基地局情報を更新するまでの処理は、第１の実施の形態で示した図８のシーケンスのＳ３３、Ｓ３４、及びＳ１４〜Ｓ１６の処理と同様である。
【００９３】
このように切断待機状態を検出することで、端末装置１００がユーザデータの送受信を終了し、切断してしまう前に探索要求を送信することができ、基地局情報を更新できる確率が向上する。
【００９４】
［第３の実施の形態］
次に、第３の実施の形態について説明する。
【００９５】
第３の実施の形態は、基地局装置２００が強制的に端末装置１００の通信速度を基準値以下に制限し、制限によって端末装置１００が探索可能状態になったことを検出する。
【００９６】
＜基地局情報の探索が可能な状態＞
図１３は、時間経過における端末装置１００の通信速度の変位の例を示す図である。図１３を用いて、第２の実施の形態において説明した通信準備状態と切断待機状態以外の探索可能状態について説明する。
【００９７】
第３の実施の形態では、第２の実施の形態における探索可能状態以外に、強制的に通信速度を制限することにより発生する通信制限期間において端末装置１００は基地局情報の探索が可能である。端末装置１００が通信制限期間である状態を通信制限状態と呼ぶ。
【００９８】
端末装置１００が基準値以上の通信速度で通信しているときに探索要求を送信しても、端末装置１００は基地局情報の探索が行えず、基地局装置２００は基地局情報の更新に失敗する。そこで基地局装置２００は、端末装置１００が切断待機状態（時間Ｔ３〜Ｔ４）に遷移するまで端末装置１００の稼働状態を監視する。しかし、基地局装置２００は、端末装置１００が切断待機状態に遷移する時間Ｔ３まで、基地局情報の更新をすることができない。例えば、端末装置１００のユーザが、長時間の動画データなどを送受信している場合、基地局情報の更新を行えない時間が長くなる場合がある。そこで、第３の実施の形態では、長時間基地局情報の更新が行えないことを回避するため、強制的に通信制限状態を発生させ、基地局情報の更新を行う。
【００９９】
図１３における時間Ｔ１〜Ｔ４については、第２の実施の形態において説明した図９と同様である。以下、時間Ｔ５〜Ｔ９の期間について説明する。
【０１００】
時間Ｔ５は、基地局装置２００が端末装置１００の通信速度が基準値以下になるように制限を開始した時間である。制限された端末装置１００の通信速度は、時間Ｔ６において基準値以下となる。そして時間Ｔ７において、基地局装置２００が制限しようとした通信速度まで低下する。
【０１０１】
時間Ｔ８は、基地局装置２００が端末装置１００の通信速度の制限を解除した時間である。制限を解除された端末装置１００の通信速度は、徐々に上昇し、時間Ｔ９で制限前の通信速度に達する。
【０１０２】
端末装置１００の通信速度の制限によって、端末装置１００の通信速度が基準値以下になる時間Ｔ６から、通信速度の制限を解除するまでの時間Ｔ８までが、通信制限期間である。基地局装置２００は、通信制限期間に端末装置１００に探索要求を送信することで、探索結果を取得する確率が情報する。
【０１０３】
＜基地局装置の構成例＞
図１４は、第３の実施の形態における基地局装置２００の構成例を示す図である。
【０１０４】
基地局装置２００のストレージ２２０は、通信制御プログラム２２１、稼働状態監視プログラム２２３に加え、さらに通信速度制限プログラム２２４を記憶する。
【０１０５】
ＣＰＵ２１０は、通信速度制限プログラム２２４を実行することで通信速度制限処理を実現する。
【０１０６】
通信速度制限処理は、端末装置１００を強制的に通信制限状態に遷移させ、通信制限状態になったことを検出すると、端末装置１００に探索要求を送信する処理である。
【０１０７】
通信速度制限処理において、基地局装置２００は、端末装置１００の通信速度を基準値以下になるように制限する。基地局装置２００は、例えば、ＬＴＥの通信システムにおいて、端末装置１００に対してＲＢ（Resource Block）を少なくすることで、通信速度を低くする。ＲＢは、例えば、通信に使用できる周波数の帯域幅と時間単位により区分けされた無線のリソースである。
【０１０８】
基地局装置２００は、端末装置１００が通信制限状態に遷移したことを検出すると、端末装置１００に探索要求を送信する。そして、基地局装置２００は端末装置１００から探索結果を受信すると、基地局情報を更新する。
【０１０９】
さらに、基地局装置２００は、基地局情報の更新を終了すると、端末装置１００の通信速度の制限を解除し、端末装置１００が制限前の通信速度で通信できるようにする。
【０１１０】
＜通信速度制限処理＞
図１５は、通信速度制限処理を含む基地局装置２００のフローチャートの例を示す図である。また、図１６は、通信速度制限処理のシーケンスの例を示す図である。以下に、図１６のシーケンスの処理を、図１５のフローチャートを用いて説明する。なお、図１５のフローチャートのＳ４００及びＳ４０１以外の処理は、第２の実施の形態における図１０に示す処理と同様である。
【０１１１】
基地局装置２００は、端末装置１００が切断待機状態に遷移するのを待っている。しかし、端末装置１００は基準値以上の通信速度でユーザデータの送受信を行っている状態である（ＳＴ１０）。この状態において、データ通信終了待ちタイマが満了する（Ｓ４００）。データ通信終了待ちタイマは、端末装置１００が切断待機待ちに遷移するのを待つタイマで、例えば、端末装置１００の通信速度が基準値以上になったタイミングで発行する。また、データ通信終了待ちタイマは、例えば、端末装置１００と接続が確立していることを確認しときに発行してもよい。
【０１１２】
基地局装置２００は、データ通信終了待ちタイマが満了すると、端末装置１００の通信速度を制限する（Ｓ４０１）。通信速度の制限は、例えば、端末装置１００が使用できる無線のリソースを減少させることで行う。その後、基地局装置２００は、端末装置１００の通信速度の監視を行う。
【０１１３】
通信速度を制限された端末装置１００は、通信速度が基準値以下に低下する（ＳＴ１１）。基地局装置２００は、端末装置１００の通信速度が基準値以下になったこと検出することで、端末装置１００が通信制限状態に遷移したことを検出する（Ｓ４０２）。基地局装置２００は、通信制限状態を検出すると、端末装置１００に探索要求を送信する（Ｓ３３）。基地局装置２００が探索要求を送信してから、基地局情報を更新するまでの処理は、第１の実施の形態で示した図８のシーケンスのＳ３３、Ｓ３４、及びＳ１４〜Ｓ１６の処理と同様である。
【０１１４】
基地局情報を更新した基地局装置２００は、端末装置１００に対する通信速度の制限を解除する（Ｓ４０３）。通信速度の制限を解除された端末装置１００は、再び通信速度の制限前の通信速度に戻り、ユーザデータの送受信を行う（ＳＴ１２）。
【０１１５】
第３の実施の形態では、強制的に端末装置１００の通信速度が基準値以下である探索可能状態を発生させている。端末装置１００が切断待機状態や通信準備状態に長時間遷移しない場合、端末装置１００を強制的に探索可能状態にすることで、基地局情報の更新を長時間行えないことを回避できる。
【０１１６】
［第４の実施の形態］
次に、第４の実施の形態について説明する。
【０１１７】
第４の実施の形態では、稼働状態監視処理にて、切断待機状態及び通信準備状態を一定時間検出できないとき、端末装置１００を強制的に通信制限状態に遷移させ、探索要求を送信する。
【０１１８】
＜基地局情報取得処理＞
図１７は、第４の実施の形態における基地局装置２００が基地局情報取得処理のフローチャートの例を示す図である。
【０１１９】
基地局装置２００は、何かイベントが発生すると（Ｓ５００）、イベントの種別によって処理を分岐する（Ｓ５０１）。
【０１２０】
基地局装置２００は、端末装置が切断待機状態又は通信準備状態になったことを検出すると（Ｓ５０１の切断待機状態又は通信準備状態検出）、基地局情報更新タイマを停止する（Ｓ５０３）。切断待機状態及び通信準備状態の検出方法については、第２の実施の形態と同様である。
【０１２１】
基地局情報更新タイマは、基地局装置２００が基地局情報を更新したときに発行するタイマである。基地局情報更新タイマは、基地局情報の更新が基地局情報更新タイマのタイマ値の時間以上行われないことを防止することを目的とする。そのため、基地局装置２００は、切断待機状態や通信準備状態を検出すると、以降の処理で探索要求を送信し基地局情報を更新するため、基地局情報更新タイマをこの検出タイミングで停止する（Ｓ５０３）。
【０１２２】
以降、基地局装置２００が探索要求を送信してから、基地局情報を更新するまでの処理は、第１の実施の形態と同様である。
【０１２３】
一方、基地局装置２００は、基地局情報更新タイマ発行中に、切断待機状態及び通信準備状態の検出ができず、基地局情報の更新を行わなかったとき、基地局情報更新タイマが満了する（Ｓ５０１の基地局情報更新タイマ満了）。基地局装置２００は、通信中の端末装置が存在するかどうかを確認し（Ｓ５０２）、通信中の端末装置があれば（Ｓ５０２のＹｅｓ）、端末装置の通信速度を制限する（Ｓ４０１）。通信速度を制限する処理については、第３の実施の形態の通信速度制限処理と同様である。また、基地局装置２００が探索要求を送信してから、基地局情報を更新するまでの処理は、第１の実施の形態と同様である。
【０１２４】
そして、基地局装置２００は、基地局情報の更新が終了すると（Ｓ１６）、基地局情報更新タイマを発行して（Ｓ５０４）、処理を終了する。
【０１２５】
第４の実施の形態では、基地局情報更新タイマを設けることで、基地局情報が更新されない時間が、最長でも基地局情報更新タイマのタイマ値となり、基地局情報の更新頻度を上昇させることができる。
【０１２６】
［第５の実施の形態］
次に、第５の実施の形態について説明する。
【０１２７】
第５の実施の形態では、定期取得処理を行う、定期取得処理での基地局情報の更新に失敗したときに、稼働状態監視処理を行う。
【０１２８】
＜基地局装置の構成例＞
図１８は、第５の実施の形態における基地局装置２００の構成例を示す図である。
【０１２９】
基地局装置２００のストレージ２２０は、通信制御プログラム２２１、稼働状態監視プログラム２２３、通信速度制限プログラム２２４に加え、さらに定期取得プログラム２２２を記憶する。
【０１３０】
ＣＰＵ２１０は、ロードしたプログラムを実行することで、処理部及び定期処理部の機能を実現する。
【０１３１】
ＣＰＵ２１０は、定期取得プログラム２２２を実行することで定期取得処理を実現する。
【０１３２】
定期取得処理は、定期的に基地局情報を取得する処理であり、定期取得方法を実現する処理である。定期取得処理では、基地局装置２００は、基地局情報を定期取得するための定期取得タイマを起動する。基地局装置２００は、定期取得タイマが満了すると、端末装置１００に対して探索要求を送信する。基地局装置２００は、端末装置１００から探索結果を受信すると、基地局情報テーブル２３１の基地局情報を更新する。
【０１３３】
＜基地局情報取得処理＞
図１９は、第５の実施の形態における基地局装置２００が基地局情報取得処理のフローチャートの例を示す図である。図１９におけるＳ６００〜Ｓ６０３以外の処理は、第３の実施の形態と同様である。
【０１３４】
基地局装置２００は、定期取得タイマが満了すると（Ｓ６００）、定期取得処理を行う（Ｓ６０１）。基地局装置２００は、定期取得処理において、端末装置１００の稼働状態を判定せずに、端末装置１００に対して探索要求を送信する。
【０１３５】
基地局装置２００は、定期取得処理によって基地局情報の更新に成功すると（Ｓ６０２のＹｅｓ）、定期取得タイマを発行し（Ｓ６０３）、処理を終了する。
【０１３６】
基地局装置２００は、定期取得処理によって基地局情報の更新に失敗すると（Ｓ６０２のＮｏ）、稼働状態監視処理を行う。その後、基地局情報を更新すると（Ｓ１６）、定期取得タイマを発行し（Ｓ６０３）、処理を終了する。
【０１３７】
このように、第５の実施の形態では、定期取得処理による基地局情報の更新に失敗したときに稼働状態監視処理を行っている。基地局装置２００に在圏する端末装置の数が増加するに伴い、全部の端末装置が基地局情報を探索できない状態である可能性は低くなり、少なくとも１台の端末装置から探索結果を受信できる可能性が高くなる。すなわち、在圏する端末装置が多数ある状況では、状態監視処理を行わなくても、基地局情報を更新できる確率が高い。よって、定期取得処理に失敗したときだけ稼働状態監視処理を行うことで、無駄な通信が発生することを軽減しつつ、基地局情報の更新確立を向上させることができる。
【０１３８】
以上まとめると、付記のようになる。
【０１３９】
（付記１)
無線通信が可能な範囲内に在圏している端末装置と無線を介して接続し、通信を行う通信部と、
前記端末装置に対して、前記端末装置が接続可能な基地局装置を探索し、前記探索により取得した基地局情報を送信するよう要求する探索要求処理を行う処理部を有し、
前記処理部は、前記端末装置の稼働状態の変化を示す稼働情報を取得し、前記取得した稼働情報から前記端末装置が前記基地局情報の探索を行うことが可能な第１の状態であると判定したとき、前記探索要求処理を行う
基地局装置。
【０１４０】
（付記２）
前記第１の状態は、前記端末装置の通信速度が基準値以下の第２の状態を含む
付記１記載の基地局装置。
【０１４１】
（付記３）
前記第２の状態は、前記端末装置が前記基地局装置と接続を確立してから、前記基準値を超える通信速度で通信を開始するまでの通信準備期間を含む
付記２記載の基地局装置。
【０１４２】
（付記４）
前記通信準備期間は、前記端末装置と前記基地局装置との接続が確立したことを示すメッセージを前記端末装置から受信した後、又は前記端末装置に送信した後の期間を含む
付記３記載の基地局装置。
【０１４３】
（付記５）
前記第２の状態は、前記端末装置が前記基準値を超える通信速度での通信を終了してから、前記基地局装置と確立している接続を切断するまでの切断待機期間を含む
付記２記載の基地局装置。
【０１４４】
（付記６）
前記切断待機期間は、前記端末装置の通信速度が前記基準値以下になってから第１時間を経過した後の期間を含む
付記５記載の基地局装置。
【０１４５】
（付記７）
前記第２の状態は、前記端末装置の通信速度が前記基準値以下になるように制限されている通信制限期間を含む
付記２記載の基地局装置。
【０１４６】
（付記８）
前記通信制限期間は、前記処理部が前記端末装置の通信速度が前記基準値以下になるように制限し、前記制限に応じて前記端末装置の通信速度が前記基準値以下になった後の期間を含む
付記７記載の基地局装置。
【０１４７】
（付記９)
前記端末装置が前記基地局装置と接続を確立してから、前記基準値を超える通信速度で通信を開始するまでの通信準備期間、及び前記端末装置が前記基準値を超える通信速度での通信を終了してから、前記基地局装置と確立している接続を切断するまでの切断待機期間が、第２時間の間発生しない場合、前記処理部は、前記端末装置の通信速度が前記基準値以下のなるよう制限し、前記制限に応じて前記端末装置を第２の状態にする
付記２記載の基地局装置。
【０１４８】
（付記１０）
さらに、前記第１の状態であることを判定することなく定期的に前記探索要求を送信する定期取得処理を行う定期取得部を有し、
前記処理部は、前記定期取得処理で送信する前記探索要求に対して前記探索結果を受信できない場合、前記稼働情報を取得し、前記取得した稼働情報から前記第１の状態であると判定したとき、前記探索要求処理を行う
付記１記載の基地局装置。
【０１４９】
（付記１１）
前記基地局情報は、前記端末装置が接続可能な基地局装置の識別子である
付記１記載の基地局装置。
【符号の説明】
【０１５０】
１０…通信システム                  １００…端末装置
１１０…ＣＰＵ                      １２０…ストレージ
１２１…通信制御プログラム          １２２…基地局探索プログラム
１３０…メモリ                      １４０…ＲＦ回路
１４１…アンテナ                    ２００…基地局装置
２１０…ＣＰＵ                      ２２０…ストレージ
２２１…通信制御プログラム          ２２２…定期取得プログラム
２２３…稼働状態監視プログラム      ２２４…通信速度制限プログラム
２３０…メモリ                      ２３１…基地局情報テーブル
２４０…ＲＦ回路                    ２４１…アンテナ
２５０…ＮＩＣ                      ３００…基地局制御装置
３１０…ＣＰＵ                      ３２０…ストレージ
３２１…基地局制御プログラム        ３３０…メモリ
３５０…ＮＩＣ                      ４００…ネットワーク
【図１】
2017060024.tif 000003
【図２】
2017060024.tif 000004
【図３】
2017060024.tif 000005
【図４】
2017060024.tif 000006
【図５】
2017060024.tif 000007
【図６】
2017060024.tif 000008
【図７】
2017060024.tif 000009
【図８】
2017060024.tif 000010
【図９】
2017060024.tif 000011
【図１０】
2017060024.tif 000012
【図１１】
2017060024.tif 000013
【図１２】
2017060024.tif 000014
【図１３】
2017060024.tif 000015
【図１４】
2017060024.tif 000016
【図１５】
2017060024.tif 000017
【図１６】
2017060024.tif 000018
【図１７】
2017060024.tif 000019
【図１８】
2017060024.tif 000020
【図１９】
2017060024.tif 000021